(57)【要約】【課題】見開き状態の原稿の全面頁を印刷物として出力する場合に、ユーザの希望に沿った印刷物を出力することが可能な複合機１００を提供する。【解決手段】前記見開き全面頁キーを選択可能に表示する見開き条件受付手段４０２と、前記見開き全面頁キーが選択されると、前記画像データの天位置を指定するための所定数の天位置キーと、用紙のサイズを指定するための所定数のサイズキーとを選択可能に表示する画像条件受付手段４０７と、前記見開き状態の原稿の全面頁画像データを読み取ると、前記全面頁画像データの天位置を、選択された天位置キーの天位置にして、当該全面頁画像データを画像データ記憶手段に記憶させる見開き画像読取手段４０３と、前記画像データ記憶手段に記憶された全面頁画像データを、選択されたサイズキーのサイズの用紙に画像形成する見開き画像形成手段４０６とを備える複合機１００を提供する。【選択図】図４
2012160829.tif 000002
【特許請求の範囲】
【請求項１】
原稿台に載置された原稿の上位置を天位置とし、左頁と右頁とを読取可能な見開き状態の原稿から、ユーザにより指定された頁の画像データを読み取って、当該画像データを所定の用紙に画像形成する画像形成装置において、
前記見開き状態の原稿に対し左右全面頁の画像データを読み取るための見開き全面頁キーを選択可能に表示する見開き条件受付手段と、
前記見開き全面頁キーが選択されると、前記画像データの天位置を指定するための所定数の天位置キーと、用紙のサイズを指定するための所定数のサイズキーとを選択可能に表示する画像条件受付手段と、
前記見開き状態の原稿の全面頁画像データを読み取ると、前記全面頁画像データの天位置を、選択された天位置キーの天位置にして、当該全面頁画像データを画像データ記憶手段に記憶させる見開き画像読取手段と、
前記画像データ記憶手段に記憶された全面頁画像データを、選択されたサイズキーのサイズの用紙に画像形成する見開き画像形成手段と
を備えることを特徴とする画像形成装置。
【請求項２】
前記天位置キーは、画像データの天位置を上位置とするキーと、画像データの天位置を左位置とするキーとを含み、
前記サイズキーは、用紙のサイズを見開き状態の原稿の全面頁に対して片頁の用紙のサイズに変更するキーと、用紙のサイズを全面頁の用紙のサイズに変更するキーとを含む
請求項１に記載の画像形成装置。
【請求項３】
原稿台に載置された原稿の上位置を天位置とし、左頁と右頁とを読取可能な見開き状態の原稿から、ユーザにより指定された頁の画像データを読み取って、当該画像データを所定の用紙に画像形成する画像形成方法において、
前記見開き状態の原稿に対し左右全面頁の画像データを読み取るための見開き全面頁キーを選択可能に表示する見開き条件受付ステップと、
前記見開き全面頁キーが選択されると、前記画像データの天位置を指定するための所定数の天位置キーと、用紙のサイズを指定するための所定数のサイズキーとを選択可能に表示する画像条件受付ステップと、
前記見開き状態の原稿の全面頁画像データを読み取ると、前記全面頁画像データの天位置を、選択された天位置キーの天位置にして、当該全面頁画像データを画像データ記憶手段に記憶させる見開き画像読取ステップと、
前記画像データ記憶手段に記憶された全面頁画像データを、選択されたサイズキーのサイズの用紙に画像形成する見開き画像形成ステップと
を含むことを特徴とする画像形成方法。
【請求項４】
請求項３に記載の画像形成方法をコンピュータに実行させるためのプログラム。
【請求項５】
請求項４に記載のプログラムを記憶したコンピュータに読み取り可能な記憶媒体。
【発明の詳細な説明】
【技術分野】
【０００１】
本発明は、画像形成装置及び画像形成方法に関し、詳しくは、見開き状態の原稿について、ユーザの希望に沿った印刷物を出力することが可能な画像形成装置及び画像形成方法に関する。
【背景技術】
【０００２】
従来の画像形成装置では、原稿台に載置させた見開き状態の原稿のサイズに応じて、ユーザが、原稿の読取対象の頁（例えば、原稿の左頁又は右頁など）を選択することが可能である。
【０００３】
例えば、前記画像形成装置には、ジョブ開始前に、本原稿の左頁あるいは右頁のいずれか１つを読取対象頁として指定する頁指定手段と、頁指定手段によって指定された読取対象頁の画像を読み取る読取手段と、読取手段によって読み取られた読取対象頁の画像を用紙に印字する印字手段とが備えられている。これにより、片側の頁（左頁あるいは右頁）にしか画像が形成されていない本原稿でも、ユーザが当該頁を指定すれば、当該頁のみ画像形成されることとなるため、無駄な画像形成を防止することが出来る。
【０００４】
しかしながら、上述した画像形成装置では、読取対象頁はジョブ単位でしか指定できないため、読取対象頁が全面頁に及ぶ見開き状態の原稿に対しては１つのジョブとしてまとめてコピーすることが出来ず、操作性が極めて悪いという問題があった。
【０００５】
このような問題を解決するために、例えば、特開２００３−２７４０６６号公報（特許文献１）には、見開き単位で本原稿の左頁、右頁あるいは両頁のいずれか１つを読取対象頁として指定する頁指定手段と、前記読取対象頁の画像を読み取る読取手段とを備える画像形成装置が開示されている。当該画像形成装置は、更に、前記読取対象頁の画像が読み取られた後、前記頁指定手段により前回と異なる前記読取対象頁が指定されたか否かを判断し、前回と異なる前記読取対象頁が指定されなかったときは、前回指定された前記読取対象頁の画像を読み取り、前回と異なる前記読取対象頁が指定されたときは、その指定された前記読取対象頁の画像を読み取るよう前記読取手段を制御する制御手段とを備える。これにより、ユーザにより見開き単位で指定された読取対象頁の画像を読み取ることにより、コピー対象頁が途中で変わる全面頁の原稿であっても、１つのジョブとしてコピーすることが出来るとしている。
【先行技術文献】
【特許文献】
【０００６】
【特許文献１】特開２００３−２７４０６６号公報
【発明の概要】
【発明が解決しようとする課題】
【０００７】
しかしながら、特許文献１に記載の技術では、見開き状態の原稿の全面頁（両頁）を読取対象頁として指定してコピー（画像形成）した場合に、全面頁に対応するサイズで印刷物が出力される。そのため、片頁の印刷物のサイズと、全面頁の印刷物のサイズとで整合が取れず、全面頁で印刷物を出力したとしても、当該印刷物が、ユーザにとって取り扱い難い。
【０００８】
又、上述したような、見開き単位（右頁、左頁、全面頁）で見開き状態の原稿の画像データを読み取り、画像形成する見開き読取（見開き読取モード）では、見開き状態の原稿の特性から、見開き状態の原稿から読み取られた画像データの天位置が上位置と予め設定されている。ここで、通常、見開き状態の原稿から読み取った全面頁の画像データの天位置は左位置であるにも関わらず、当該全面頁の画像データの天位置は自動的に上位置に設定されてしまい、出力時の印刷物がユーザの希望に沿った方向の印刷物となっていない場合がある。
【０００９】
そこで、本発明は、前記課題を解決するためになされたものであり、見開き状態の原稿の全面頁を印刷物として出力する場合に、ユーザの希望に沿った印刷物を出力することが可能な画像形成装置及び画像形成方法を提供することを目的とする。
【課題を解決するための手段】
【００１０】
上述した課題を解決し、目的を達成するために、本発明は、原稿台に載置された原稿の上位置を天位置とし、左頁と右頁とを読取可能な見開き状態の原稿から、ユーザにより指定された頁の画像データを読み取って、当該画像データを所定の用紙に画像形成する画像形成装置を採用する。
【００１１】
当該画像形成装置は、見開き条件受付手段と、画像条件受付手段と、見開き画像読取手段と、見開き画像形成手段とを備える。前記見開き条件受付手段は、前記見開き状態の原稿に対し左右全面頁の画像データを読み取るための見開き全面頁キーを選択可能に表示する。次に、前記画像条件受付手段は、前記見開き全面頁キーが選択されると、前記画像データの天位置を指定するための所定数の天位置キーと、用紙のサイズを指定するための所定数のサイズキーとを選択可能に表示する。そして、前記見開き画像読取手段は、前記見開き状態の原稿の全面頁画像データを読み取ると、前記全面頁画像データの天位置を、選択された天位置キーの天位置にして、当該全面頁画像データを画像データ記憶手段に記憶させる。更に、前記見開き画像形成手段は、前記画像データ記憶手段に記憶された全面頁画像データを、選択されたサイズキーのサイズの用紙に画像形成する。
【００１２】
これにより、見開き状態の原稿の全面頁を印刷する場合に、ユーザが、所定の天位置と所定のサイズとを選択することで、選択された天位置とサイズとが反映された見開き全面頁の印刷物が出力される。そのため、ユーザは、自己の希望する見開き全面頁の印刷物を得ることが可能となる。その結果、従来では、全面頁の印刷物のサイズと片頁の印刷物のサイズとで整合が取れなかったものを、例えば、全面頁の印刷物のサイズを片頁の印刷物のサイズに揃えることが可能となり、ユーザにとって取り扱い易い印刷物を出力することが可能となる。
【００１３】
又、前記天位置キーは、画像データの天位置を上位置とするキーと、画像データの天位置を左位置とするキーとを含み、前記サイズキーは、用紙のサイズを見開き状態の原稿の全面頁に対して片頁の用紙のサイズに変更するキーと、用紙のサイズを全面頁の用紙のサイズに変更するキーとを含むよう構成することが出来る。
【００１４】
尚、本発明は、原稿台に載置された原稿の上位置を天位置とし、左頁と右頁とを読取可能な見開き状態の原稿から、ユーザにより指定された頁の画像データを読み取って、当該画像データを所定の用紙に画像形成する画像形成方法として提供することが出来る。即ち、当該画像形成方法は、前記見開き状態の原稿に対し左右全面頁の画像データを読み取るための見開き全面頁キーを選択可能に表示する見開き条件受付ステップを有する。次に、前記画像形成方法は、前記見開き全面頁キーが選択されると、前記画像データの天位置を指定するための所定数の天位置キーと、用紙のサイズを指定するための所定数のサイズキーとを選択可能に表示する画像条件受付ステップを有する。そして、前記画像形成方法は、前記見開き状態の原稿の全面頁画像データを読み取ると、前記全面頁画像データの天位置を、選択された天位置キーの天位置にして、当該全面頁画像データを画像データ記憶手段に記憶させる見開き画像読取ステップを有する。更に、前記画像形成方法は、前記画像データ記憶手段に記憶された全面頁画像データを、選択されたサイズキーのサイズの用紙に画像形成する見開き画像形成ステップを有する。当該構成としても、上述と同様の効果を得ることが可能となる。
【００１５】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００１６】
本発明の画像形成装置及び画像形成方法によれば、見開き状態の原稿の全面頁を印刷物として出力する場合に、ユーザの希望に沿った印刷物を出力することが可能となる。
【図面の簡単な説明】
【００１７】
【図１】本発明に係る複合機の内部の全体構成を示す概念図である。
【図２】本発明に係る操作部の全体構成を示す概念図である。
【図３】本発明に係る複合機の制御系ハードウェアの構成を示す図である。
【図４】本発明の複合機の機能ブロック図である。
【図５】本発明の実行手順を示すための第一のフローチャートである。
【図６】本発明の実行手順を示すための第二のフローチャートである。
【図７】本発明の実施形態においてタッチパネル上に表示された初期画面の一例を示す図（図７（Ａ））と、本発明の実施形態においてタッチパネル上に表示された見開き読取画面の一例を示す図（図７（Ｂ））である。
【図８】本発明の実施形態において見開き読取モードを説明するための概略図（図８（Ａ））と、本発明の実施形態においてタッチパネル上に表示された見開き全面頁読取画面の一例を示す図（図８（Ｂ））である。
【図９】本発明の実施形態において見開き全面頁読取モードを説明するための第一の概略図（図９（Ａ））と、本発明の実施形態において見開き全面頁読取モードを説明するための第二の概略図（図９（Ｂ））と、本発明の実施形態において見開き全面頁読取モードを説明するための第三の概略図（図９（Ｃ））と、本発明の実施形態において見開き全面頁読取モードを説明するための第四の概略図（図９（Ｄ））である。
【発明を実施するための形態】
【００１８】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。また、フローチャートにおける数字の前に付されたアルファベット「Ｓ」はステップを意味する。
【００１９】
＜画像形成装置＞
以下に、本発明に係る画像形成装置について説明する。
【００２０】
図１は、折り装置と製本装置とが接続された画像形成装置の概略模式図である。ただし、本発明に直接には関係しない各部の詳細は省略している。なお、本発明の画像形成装置は、例えば、プリンタやスキャナ単体、あるいはプリンタ、コピー、スキャナ、ファックス等を備えた複合機等が該当し、コピーサービス、スキャナサービス、ファクシミリサービス、プリンタサービス等を備えた画像形成装置として機能する。以下に、例えばコピーサービスを利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２１】
まず、ユーザが複合機１００を利用する場合、原稿Ｐを複合機１００の上面に備えられている原稿台１０１に載置し、コピーサービスの設定を操作部１０２から入力する。この操作部１０２には、画像形成に関する画面に表示され、ユーザの選択によってコピーサービスに関する設定条件の入力が行なわれる。
【００２２】
設定条件の入力が終了後、ユーザは操作部１０２に設けられたスタートキーを押下して、複合機１００にコピーサービスの処理を開始させる。
【００２３】
複合機１００がコピーサービスの処理を開始すると、画像読取部１０３において、光源１０４から照射された光が、上記原稿台１０１に置かれた原稿に反射される。反射された光は、ミラー１０５、１０６、１０７によって撮像素子１０８に導かれる。導かれた光は上記撮像素子１０８により光電変換されて、基本的な補正処理、画質処理、圧縮処理等を施され、上記原稿に対応する画像データが生成される。
【００２４】
なお、上記画像データは、複合機１００に接続された通信ケーブル１０９を介して、ネットワーク１１０から出力（画像形成）の指示とともに送信されても構わない。ネットワーク１１０から画像データが送信される場合は、画像読取部１０３の処理は省略される。
【００２５】
さて、上記画像データをトナー像として転写する駆動部が画像形成部１１１である。上記画像形成部１１１には感光体ドラム１１２が備えられている。上記感光体ドラム１１２は、一定速度で所定の方向に回転し、その周囲には、回転方向の上流側から順に、帯電器１１３、露光ユニット１１４、現像器１１５、転写器１１６、クリーニングユニット１１７などが配置されている。
【００２６】
上記帯電器１１３は、上記感光体ドラム１１２の表面を一様に帯電させる。上記露光ユニット１１４は、帯電された上記感光体ドラム１１２の表面に、上記画像データに基づいてレーザーを照射し、静電潜像を形成する。上記現像器１１５は、搬送された静電潜像に、トナーを付着させてトナー像を形成する。形成されたトナー像は、上記転写器１１６により、記録媒体（例えば、シート）に転写される。上記クリーニングユニット１１７は、上記感光体ドラム１１２の表面に残された余分なトナーを取り除く。これらの一連のプロセスは、上記感光体ドラム１１２が回転することにより実行される。
【００２７】
上記シートは、上記複合機１００に備えられた複数の給紙カセット１１８から搬送される。搬送される時は、上記シートはピックアップローラ１１９により何れか１つの上記給紙カセット１１８から搬送路へ引き出される。上記各給紙カセット１１８には、それぞれ異なる紙種のシートが収容されており、上記出力条件に関する設定に基づいてシートが給紙される。
【００２８】
搬送路に引き出された上記シートは、搬送ローラ１２０やレジストローラ１２１により感光体ドラム１１２と転写器１１６の間に送り込まれる。送り込まれると、上記シートは上記転写器１１６により上記トナー像が転写され、定着装置１２２に搬送される。尚、搬送ローラ１２０に搬送されるシートは、複合機１００に備えられた手差しトレイ１２３から搬送される場合もある。
【００２９】
上記トナー像が転写されたシートが上記定着装置１２２に備えられた加熱ローラ１２４と加圧ローラ１２５の間を通過すると、上記トナー像に熱と圧力が印加されて、可視像がシートに定着される。上記加熱ローラ１２４の熱量は紙種に応じて最適に設定され、上記定着が適切に行われる。上記可視像がシートに定着されて画像形成が終了し、可視像が定着されたシートは、定着装置１２２を経て折り装置１２６へ搬送される。
【００３０】
上記搬送されたシートは、ユーザが入力した出力条件の設定に従って、折り装置１２６で折り処理が施される。折り処理が入力されていない場合は、上記シートは折り装置１２６を通過するのみである。また、ユーザが後処理（例えば、ステープル、パンチ、製本等）を出力条件に設定した場合、通過したシートは製本装置１２７に搬送されて後処理を施され、排紙トレイ１２８に積載、収容される。
【００３１】
尚、上記折り装置１２６、製本装置１２７は複合機１００から取り外し可能であるため、折り装置１２６、製本装置１２７が取り外された場合、定着装置１２２にて可視像が定着されたシートは、印刷物として複合機１００の側面に設けられた排紙トレイ１２８に積載され、収容されることになる。
【００３２】
上記手順により、複合機１００はコピーサービスをユーザに提供する。なお、他のサービスについては、上述した画像読取部１０３、画像形成部１１１等が駆動して提供することになる。本発明の複合機１００は、ネットワーク１１０から送信された画像データを画像形成するプリントサービス、原稿の画像を読み取るスキャンサービス、ネットワーク１１０に画像データを送受信するファクシミリ送受信サービス、一度読み取った画像データを保存するメモリサービスを提供しても構わない。
【００３３】
また、上述した折り装置１２６、製本装置１２７が複合機１００に接続されることにより、複合機１００は所定の後処理サービスを備えても構わない。後処理として、出力されたシートの束を冊子（例えば、糊付けされた小冊子など）にする製本の出力処理（例えば、製本冊子）、シートの束の所定の箇所にステープルを施して綴じるステープルの出力処理（例えば、ステープル１点左上）、シートの束の所定の箇所に穴を開けるパンチの出力処理（例えば、パンチ２点左端）等が挙げられるがこれらに限られるものではない。
【００３４】
図２は、本発明に係る操作部の全体構成を示す概念図である。
【００３５】
ユーザは、前記操作部１０２を用いて、上述のようなコピーサービスの提供（または、出力処理）についての出力条件等を入力する。出力条件の入力等が行なわれる際に、上記操作部１０２に備えられたタッチパネル２０１、タッチペン２０２、操作キー２０３が用いられる。
【００３６】
上記タッチパネル２０１には、上述した出力条件を入力する機能と、入力された出力条件等を表示する機能とが兼ね備えられている。すなわち、タッチパネル２０１上に表示された画面内の出力項目の内容等を押下することによって、出力項目の内容等に関連付けられた出力条件（設定条件）の入力が行われる。また、入力された出力項目の内容等は、その背景色を白色からグレー色へ変更してタッチパネル２０１上に表示されるため、ユーザによって随時視認可能である。
【００３７】
タッチパネル２０１の近傍には、タッチペン２０２が備えられており、ユーザがそのタッチペン２０２の先をタッチパネル２０１に接触させると、タッチパネル２０１下方に設けられたセンサが接触先を検知する。そのため、タッチペン２０２の接触により、出力項目の内容やキーボード画面のキー等の選択・入力が可能である。
【００３８】
さらに、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。なお、上記テンキー２０４は、部数や倍率を設定する際に具体的な数字の入力に用いられる。
【００３９】
次に、図３を用いて、複合機１００の制御系ハードウェアの構成を説明する。図３は、複合機における制御系ハードウェアの概略構成図である。ただし、本発明に直接には関係しない各部の詳細は省略している。
【００４０】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。
【００４１】
上記ＣＰＵ３０１は、例えば、ＲＡＭ３０３を作業領域として利用し、上記ＲＯＭ３０２、上記ＨＤＤ３０４等に記憶されているプログラムを実行し、当該実行結果に基づいて上記ドライバ３０５とデータや指示を授受し、上記図１に示した各駆動部の動作を制御する。また、上記駆動部以外の後述する各手段（図４に示す）についても、上記ＣＰＵ３０１がプログラムを実行することで当該各手段を実現する。上記ＲＯＭ３０２や上記ＨＤＤ３０４には、以下に説明する各手段を実現するプログラムやデータが記憶されている。
【００４２】
＜本発明の実施形態＞
次に、図４、図５、図６を参照しながら、本発明の実施形態に係る構成及び実行手順について説明する。図４は、本発明の複合機１００の機能ブロック図である。図５は、本発明の実行手順を示すための第一のフローチャートである。図６は、本発明の実行手順を示すための第二のフローチャートである。
【００４３】
まず、ユーザが複合機１００の電源を投入すると、複合機１００の表示受付手段４０１が起動し、所定のメモリに予め記憶された初期画面（例えば、コピー機能画面）をタッチパネル２０１上に表示する（図５：Ｓ１０１）。
【００４４】
前記初期画面７００には、図７（Ａ）に示すように、コピーの条件を設定するための通常の設定項目キー７０１の他に、見開き単位（右頁、左頁、全面頁）で見開き状態の原稿の画像データを読み取り、画像形成する見開き読取モードへ移行するための「見開き読取」キー７０２が表示される。
【００４５】
ユーザが、Ａ４サイズの原稿が左右に配置されたＡ３サイズの原稿（例えば、Ａ４サイズの冊子）を原稿台１０１に見開いた状態で載置する。ここで、見開いた状態の原稿とは、全面頁が原稿台１０１に対し横長（横向き）となった状態の原稿である。尚、この場合は、見開き状態の原稿の片頁が原稿台１０１に対して縦長（縦向き）に配置されることになる。更に、ユーザが、前記「見開き読取」キー７０２を押下（選択）すると（図５：Ｓ１０２ＹＥＳ）、表示受付手段４０１が、当該「見開き読取」キー６０２の押下を受け付け、その旨を複合機１００の見開き条件受付手段４０２に通知する。当該通知を受けた見開き条件受付手段４０２は、見開き読取画面をタッチパネル２０１上に表示して、ユーザから、見開き状態の原稿のうち、読取対象となる頁のキーの選択を受け付ける（図５：Ｓ１０３）
前記見開き読取画面７０３には、図７（Ｂ）に示すように、見開き状態の原稿のうち、見開き単位（読取対象）の頁の選択をユーザに促す旨のメッセージ７０４と、見開き状態の原稿を模した画像７０５と、見開き状態の原稿の右頁を読み取るための右頁キー７０６と、左頁を読み取るための左頁キー７０７と、見開き状態の原稿に対し左右全面頁の画像データを読み取るための見開き全面頁キー７０８（見開き１頁キーともいう）と、キャンセルキー７０９と、スタートキー７１０とが表示される。
【００４６】
ここで、見開き状態の原稿が、右頁と左頁とで異なる画像を有している場合、例えば、右頁は文書原稿であり、左頁はグラフ原稿や表原稿であり、見開き状態の原稿の全面頁が一つの画像となっていない場合、ユーザは、前記見開き読取画面７０３を見ながら、片頁に対応するキー（例えば、右頁キー７０６）を選択すると、見開き条件受付手段４０２が、当該右頁キー７０６の選択を受け付けて（図５：Ｓ１０４ＹＥＳ）、当該右頁キー７０６の背景色を、例えば、白色から灰色に変更する。
【００４７】
次いで、ユーザが、前記見開き読取画面７０３のスタートキー７１０を選択すると、見開き条件受付手段４０２が、当該スタートキー７１０の選択を受け付けて（図５：Ｓ１０５ＹＥＳ）、その旨を見開き画像読取手段４０３に通知する。見開き画像読取手段４０３は、見開き状態の原稿に対し右頁の画像データの読み取りを開始する（図５：Ｓ１０６）。
【００４８】
先ず、見開き画像読取手段４０３は、図８（Ａ）に示すように、予め備えられた原稿サイズ検知センサ４０４から見開き状態の原稿８００のサイズ（例えば、Ａ３）を取得し、取得したサイズを全面頁として左右に半分区分し、区分した右の領域８０１を右頁とする。次に、見開き画像読取手段４０３は、前記右の領域８０１に画像読取部１０３における光源１０４を走査して、右頁の画像データ８０２を読み取る。読み取られた右頁の画像データ８０２のサイズは、全面頁のサイズ（Ａ３）の半分のサイズ（Ａ４）となる。前記見開き画像読取手段４０３は、前記右頁の画像データ８０２の天位置を、予め設定された上位置（上側位置）として、前記右頁の画像データ８０２を画像データ記憶手段４０５に記憶させる。
【００４９】
前記見開き画像読取手段４０３が、右頁の画像データ８０２の読み取りを完了すると、その旨を見開き画像形成手段４０６に通知する。当該通知を受けた見開き画像形成手段４０６は、前記画像データ記憶手段４０５に記憶された右頁の画像データ８０２に基づいて画像形成（コピー）を実行する（図５：Ｓ１０７）。
【００５０】
具体的には、見開き画像形成手段４０６が、前記画像データ記憶手段４０５から右頁の画像データ８０２を読み取り、当該右頁の画像データ８０２のサイズ（Ａ４）に対応する用紙を選択し、選択した用紙に当該右頁の画像データ８０２を画像形成する。
【００５１】
これにより、見開き読取モードにおける片頁の画像形成が完了する。尚、左頁キー７０７であっても（図５：Ｓ１０８ＹＥＳ→Ｓ１０５ＹＥＳ）、読み取る領域が右の領域８０１から左の領域８０３となるだけで、上述した処理と同様である（図５：Ｓ１０６→Ｓ１０７）。
【００５２】
一方、見開き状態の原稿が左右全面頁で一つの原稿である場合、例えば、全面頁が、縦長の建造物、人の写真、横長の世界地図などの原稿であり、見開き状態の原稿の全面頁が一つの画像となっている場合、ユーザは、前記見開き読取画面７０３を見ながら、片頁キー（右頁キー７０６、左頁キー７０７）を選択することなく（図５：Ｓ１０４ＮＯ→Ｓ１０８ＮＯ）、前記見開き全面頁キー７０８を選択すると、前記見開き条件受付手段４０２が、当該見開き全面頁キー７０８の選択を受け付けて（図５：Ｓ１０９ＹＥＳ）、見開き読取モードから見開き全面頁読取モードへ移行する旨を画像条件受付手段４０７に通知する。当該通知を受けた画像条件受付手段４０７は、見開き全面頁読取画面をタッチパネル２０１上に表示して、ユーザから、所定の天位置キーと、所定のサイズキーとの選択を受け付ける（図６：Ｓ２０１）。
【００５３】
前記見開き全面頁読取画面８０４には、図８（Ｂ）に示すように、見開き全面頁の画像データの天位置と画像データが印刷される用紙のサイズとの選択をユーザに促す旨のメッセージ８０５と、見開き状態の原稿の各天位置（上位置又は上辺、左位置又は左辺）を示した画像８０６と、前記画像データの天位置を指定するための所定数の天位置キー８０７（例えば、「上位置を天位置」キー８０７ａ、「左位置を天位置」キー８０７ｂなど）と、用紙のサイズを指定するための所定数のサイズキー８０８（例えば、「左右頁と同じサイズ」キー８０８ａ、「１００％出力」キー８０８ｂ、選択すると任意の用紙サイズを選択可能とする「サイズ指定」キー８０８ｃなど）と、キャンセルキー８０９と、スタートキー８１０とが表示される。
【００５４】
ここで、図９（Ａ）に示すように、見開き状態の原稿の左右全面頁が、左位置を天位置とした縦長（縦向き）の原稿９００である場合、ユーザが、前記「左位置を天位置」キー８０７ｂを選択すると、画像条件受付手段４０７は、当該「左位置を天位置」キー８０７ｂの選択を受け付け（図６：Ｓ２０２ＹＥＳ）、当該「左位置を天位置」キー８０７ｂの背景色を白色から灰色に変更する。
【００５５】
更に、ユーザが、例えば、全面頁の印刷物のサイズを、左右の片頁の印刷物と同じサイズにしたいと考え、前記「左右頁と同じサイズ」キー８０８ａを選択すると、画像条件受付手段４０７は、当該「左右頁と同じサイズ」キー８０８ａの選択を受け付け（図６：Ｓ２０３ＹＥＳ）、当該「左右頁と同じサイズ」キー８０８ａの背景色を白色から灰色に変更する。
【００５６】
そして、ユーザが、見開き全面頁読取画面８０４のスタートキー８１０を選択すると、画像条件受付手段４０７が、当該スタートキー８１０の選択を受け付けて（図６：Ｓ２０４ＹＥＳ）、その旨を見開き画像読取手段４０３に通知する。当該通知を受けた見開き画像読取手段４０３は、見開き状態の原稿の全面頁画像データの読み取りを開始する（図６：Ｓ２０５）。
【００５７】
先ず、見開き画像読取手段４０３は、前記原稿サイズ検知センサ４０４から見開き状態の原稿９００のサイズ（Ａ３）を取得し、取得したサイズを全面頁とする。次に、見開き画像読取手段４０３は、図９（Ａ）に示すように、全面頁の領域９００ａに光源１０４を走査し、全面頁画像データを読み取る。読み取られた全面頁の画像データのサイズは、全面頁のサイズ（Ａ３）となる。前記見開き画像読取手段４０３は、予め設定されている画像データの天位置（上位置）を解除し、前記全面頁画像データの天位置を、ユーザにより選択された天位置（左位置）として、当該全面頁画像データを画像データ記憶手段４０５に記憶させる。
【００５８】
これにより、全面頁画像データの天位置を、予め設定されている上位置から左位置に変更し、全面頁画像データを横長（横向き）から縦長（縦向き）にして、縦長（縦向き）の片頁の画像データに合わせることが可能となる。
【００５９】
次に、前記見開き画像読取手段４０３は、読取完了の旨を見開き画像形成手段４０６に通知し、当該通知を受けた見開き画像形成手段４０６は、前記画像データ記憶手段４０３に記憶された全面頁画像データを、ユーザにより選択されたサイズの用紙に画像形成する（図６：Ｓ２０６）。
【００６０】
具体的には、前記見開き画像形成手段４０６が、前記画像データ記憶手段４０５から全面頁画像データを読み取る。ここで、全面頁画像データのサイズはＡ３であるものの、ユーザにより用紙のサイズが「左右頁と同じサイズ」と選択されているため、前記見開き画像形成手段４０６は、「左右頁と同じサイズ」である片頁のサイズ（Ａ４）の用紙を選択する。次に、見開き画像形成手段４０６は、全面頁画像データのサイズ（Ａ３）を片頁の画像データのサイズ（Ａ４）に縮小し、縮小した全面頁画像データを前記用紙に画像形成する。
【００６１】
これにより、見開き状態の原稿の全面頁が縦長（縦向き）の原稿９００であっても、縦長の片頁の印刷物に合致する一つの縦長（縦向き）の印刷物９０１を取得することが可能となる。更に、全面頁の印刷物９０１のサイズを片頁の印刷物（例えば、図８（Ａ）の片頁の印刷物８０２）のサイズを揃えることが可能となり、印刷物の取り扱い性を向上させることが可能となる。
【００６２】
ところで、ユーザが前記「左位置を天位置」キー８０７ｂを選択した場合に（図６：Ｓ２０２ＹＥＳ）、ユーザが、例えば、全面頁の印刷物のサイズを等倍のサイズにしたいと考え、前記「１００％出力」キー８０８ｂを選択し、スタートキー８１０を選択すると、画像条件受付手段４０７が、当該「１００％出力」キー８０８ｂ、当該スタートキー８１０の選択を受け付ける（図６：Ｓ２０３ＹＥＳ→Ｓ２０４ＹＥＳ）。すると、前記見開き画像読取手段４０３は、前記原稿サイズ検知センサ４０４から取得されるサイズ（Ａ３）を全面頁とし、見開き状態の原稿から全面頁画像データを読み取る。そして、前記見開き画像読取手段４０３は、読み取った全面頁画像データの天位置を、選択された天位置「左位置」にして、当該全面頁画像データを前記画像データ記憶手段４０５に記憶させる（図６：Ｓ２０５）。
【００６３】
次に、前記見開き画像形成手段４０６は、前記画像データ記憶手段４０５から全面頁画像データを読み出し、ユーザにより選択された「１００％出力」に対応する全面頁のサイズ（Ａ３）の用紙を選択し、選択した用紙に当該全面頁画像データを画像形成する（図６：Ｓ２０６）。
【００６４】
これにより、ユーザは、図９（Ｂ）に示すように、見開き状態の原稿の全面頁が縦長（縦向き）の原稿９００であっても、当該原稿９００のサイズと等倍のサイズの印刷物９０２を取得することが可能となる。この場合は、全面頁の印刷物のサイズを、例えば、片頁の印刷物のサイズにすると、全面頁の内容が小さくなり過ぎて印刷物の外観が悪くなる場合が該当する。
【００６５】
さて、Ｓ２０２において、図９（Ｃ）に示すように、見開き状態の原稿の左右全面頁が、上位置を天位置とした横長（横向き）の原稿９０３であり、ユーザが、全面頁の印刷物のサイズを、片頁の印刷物のサイズと同じにしたいと考えた場合、ユーザが、前記「上位置を天位置」キー８０７ａと、前記「左右頁と同じサイズ」キー８０８ａと、スタートキー８１０とを選択すると、画像条件受付手段４０７は、当該「上位置を天位置」キー８０７ａ、当該「左右頁と同じサイズ」キー８０８ａ、当該スタートキー８１０の選択を受け付ける（図６：Ｓ２０２ＹＥＳ→Ｓ２０３ＹＥＳ→Ｓ２０４ＹＥＳ）。すると、前記見開き画像読取手段４０３は、見開き状態の原稿から、全面頁のサイズ（Ａ３）に対応する全面頁画像データを読み取り、読み取った全面頁画像データの天位置を、選択された天位置「上位置」にして（予め設定された天位置に対応する）、当該全面頁画像データを前記画像データ記憶手段４０５に記憶させる（図６：Ｓ２０５）。
【００６６】
次に、前記見開き画像形成手段４０６は、前記画像データ記憶手段４０５から全面頁画像データを読み出し、ユーザにより選択された「左右頁と同じサイズ」に対応する片頁のサイズ（Ａ４）の用紙を選択し、全面頁の画像データのサイズ（Ａ３）を片頁の画像データのサイズ（Ａ４）に縮小する。そして、前記見開き画像形成手段４０６は、縮小した全面頁の画像データを前記用紙に画像形成する（図６：Ｓ２０６）。
【００６７】
これにより、横長（横向き）の原稿である全面頁の印刷物９０４を、縦長（縦向き）の原稿である片頁の印刷物に挿入した場合、全面頁の印刷物９０４の方向（向き）を片頁の印刷物の方向（向き）に揃えることが出来ないものの、全面頁の印刷物９０４のサイズを、片頁の印刷物のサイズと揃えることが可能となる。
【００６８】
又、ユーザが前記「上位置を天位置」キー８０７ａを選択した場合に（図６：Ｓ２０２ＹＥＳ）、ユーザが、例えば、全面頁の印刷物のサイズを等倍のサイズにしたいと考え、前記「１００％出力」キー８０８ｂを選択し、スタートキー８１０を選択すると、画像条件受付手段４０７が、当該「１００％出力」キー８０８ｂ、当該スタートキー８１０の選択を受け付ける（図６：Ｓ２０３ＹＥＳ→Ｓ２０４ＹＥＳ）。そして、前記見開き画像読取手段４０３は、全面頁のサイズ（Ａ３）に対応する全面頁画像データを読み取り、当該全面頁画像データの天位置を、選択された天位置「上位置」にして、当該全面頁画像データを前記画像データ記憶手段４０５に記憶させる（図６：Ｓ２０５）。
【００６９】
次に、前記見開き画像形成手段４０６は、前記画像データ記憶手段４０５から全面頁画像データを読み出し、ユーザにより選択された「１００％出力」に対応する全面頁のサイズ（Ａ３）の用紙を選択し、選択した用紙に前記全面頁画像データを画像形成する（図６：Ｓ２０６）。
【００７０】
これにより、ユーザは、図９（Ｄ）に示すように、見開き状態の原稿のサイズと等倍のサイズの印刷物９０５を取得することが可能となる。
【００７１】
特に、天位置が上位置で、横長（横向き）の原稿である全面頁の印刷物９０５が得られた場合、複合機１００が、例えば、ユーザのＺ折処理キーの選択を受けて、当該印刷物９０５を左右半分に折り畳むとともに片頁を更に左右半分に折り畳むＺ折り（片袖折り）を施せば、全面頁の印刷物９０５のサイズが片頁の印刷物のサイズとなり、Ｚ折りが施された印刷物を片頁の印刷物に揃えることが可能となる。
【００７２】
例えば、前記画像条件受付手段４０７が、上述した所定の条件（「上位置を天位置」、「１００％出力」）が入力された際に、前記見開き全面頁読取画面８０４に、「Ｚ折処理」キーと、左右半分に折り畳む片頁を規定する片頁キー（例えば、右頁を左右半分に折り畳む「右頁」キー、左頁を左右半分に折り畳む「左頁」キーなど）とを選択可能に表示する。そして、前記画像条件受付手段４０７が、ユーザにより前記「Ｚ折処理」キーと前記片頁キー（例えば、「右頁」キー）との選択を受け付けた場合に、前記見開き画像形成手段４０６、又は図示しない後処理手段が、全面頁画像データが画像形成された用紙を左右半分に折り畳むとともに片頁（右頁）を更に左右半分に折り畳むように構成してもよい。
【００７３】
ところで、上述した全面頁の画像データの画像形成が完了した後に、ユーザがキャンセルキー８０９を選択しない場合（図６：Ｓ２０７ＮＯ）は、Ｓ２０２に戻って、前記画像条件受付手段４０７が、更に、見開き読取条件を受け付ける（図６：Ｓ２０２）。
【００７４】
これにより、ユーザは、継続して（連続して）全面頁画像データの画像形成を実行することが出来る。この場合は、例えば、見開き状態の原稿のサイズがＡ３であり、Ａ４サイズの冊子の内容を連続してコピーさせたい場合に有効である。
【００７５】
一方、前記見開き全面頁読取画面８０４を見ながら、ユーザが、キャンセルキー８０９を選択すると、前記画像条件受付手段４０７が、当該キャンセルキー８０９の選択を受け付けて（図６：Ｓ２０７ＹＥＳ）、見開き全面頁読取モードから見開き読取モードへ移行する旨を見開き条件受付手段４０２に通知する。当該通知を受けた見開き条件受付手段４０２は、上述した見開き読取画面７０３をタッチパネル上に表示する（図５：Ｓ１０３）。
【００７６】
これにより、ユーザは、見開き状態の原稿のうち、左右頁のいずれかを読み取ることが可能となる。尚、ユーザが、例えば、更に、前記見開き読取画面７０３の見開き全面頁キーを選択すれば（図５：Ｓ１０９ＹＥＳ）、再度、見開き読取モードから見開き全面頁読取モードに移行する。
【００７７】
さて、Ｓ１０３において、ユーザが、見開き状態の原稿の画像読取を全て完了した場合、片頁キー、見開き全面頁キーを選択することなく（図５：Ｓ１０４ＮＯ→Ｓ１０８ＮＯ→Ｓ１０９ＮＯ）、前記見開き読取画面７０３のキャンセルキー７０９を選択すると、見開き条件受付手段４０２が、当該キャンセルキー７０９の選択を受け付けて（図５：Ｓ１１０ＹＥＳ）、その旨を表示受付手段４０１に通知する。当該通知を受けた表示受付手段４０１は、上述した初期画面をタッチパネル２０１上に表示することになる。これにより、ユーザは、通常のコピーサービスを実行することが可能となる。
【００７８】
このように、本発明に係る複合機１００は、見開き条件受付手段４０２と、画像条件受付手段４０７と、見開き画像読取手段４０３と、見開き画像形成手段４０６とを備える。前記見開き条件受付手段４０２は、前記見開き状態の原稿に対し左右全面頁の画像データを読み取るための見開き全面頁キーを選択可能に表示する。次に、前記画像条件受付手段４０７は、前記見開き全面頁キーが選択されると、前記画像データの天位置を指定するための所定数の天位置キーと、用紙のサイズを指定するための所定数のサイズキーとを選択可能に表示する。そして、前記見開き画像読取手段４０３は、前記見開き状態の原稿の全面頁画像データを読み取ると、前記全面頁画像データの天位置を、選択された天位置キーの天位置にして、当該全面頁画像データを画像データ記憶手段４０５に記憶させる。更に、前記見開き画像形成手段４０６は、前記画像データ記憶手段４０５に記憶された全面頁画像データを、選択されたサイズキーのサイズの用紙に画像形成する。
【００７９】
これにより、見開き状態の原稿の全面頁を印刷する場合に、ユーザが、所定の天位置と所定のサイズとを選択することで、選択された天位置とサイズとが反映された見開き全面頁の印刷物が出力される。そのため、ユーザは、自己の希望する見開き全面頁の印刷物を得ることが可能となる。その結果、従来では、全面頁の印刷物のサイズと片頁の印刷物のサイズとで整合が取れなかったものを、例えば、全面頁の印刷物のサイズを片頁の印刷物のサイズに揃えることが可能となり、ユーザにとって取り扱い易い印刷物を出力することが可能となる。
【００８０】
尚、本発明の実施形態では、前記画像データの天位置を指定するための天位置キーとして、「上位置を天位置」キー８０７ａと「左位置を天位置」キー８０７ｂとを挙げたが、これに限られるものでなく、例えば、「下位置を天位置」キー、「右位置を天位置」キー、画像データの向きを規定するキー、画像データの回転を規定するキー等であってもよい。又、用紙のサイズを指定するためのサイズキーとして、「左右頁と同じサイズ」キー８０８ａ、「１００％出力」キー８０８ｂ、「サイズ指定」キー８０８ｃを挙げたが、これに限られるものでなく、例えば、具体的な用紙のサイズを示す「Ａ３」キー、「Ａ４」キー等であってもよい。
【００８１】
又、本発明の実施形態では、前記画像条件受付手段４０７が、所定の天位置キーと所定のサイズキーとの選択を受け付けた後に、スタートキー８１０の選択を受けるよう構成したが、他の構成でも構わない。例えば、見開き全面頁読取画面８０４が表示された際に、ユーザが頻繁に選択する特定の天位置キー（例えば、「左位置を天位置」キー８０７ｂ）と、特定のサイズキー（例えば、「左右頁と同じサイズ」キー８０８ａ）との選択を、前記画像条件受付手段４０７が予め受け付けた状態（デフォルト状態）としておき、ユーザが即時にスタートキー８１０を選択出来るよう構成してもよい。当該構成により、ユーザのキー操作回数を減らし、操作性を向上させることが可能となる。
【００８２】
又、本発明の実施形態では、前記見開き画像形成手段４０６が、自動的に、全面頁画像データの方向（向き）に用紙の方向（向き）を合わせて、当該全面頁画像データを当該用紙に画像形成するように構成したが、給紙カセットに収納された用紙の向き（縦向き、横向き）によって、画像データの向きに用紙の向きを対応させることが出来ない場合も想定される。そのような場合は、前記見開き画像形成手段４０６が、全面頁画像データを９０度回転するなどして、当該全面頁画像データの向きを適宜変更して、当該全面頁画像データの方向と用紙の方向とを合わせて画像形成するように構成される。
【００８３】
又、本発明の実施形態では、各手段を複合機１００に備えるよう構成したが、画像形成装置であればよく、各手段を、例えば、プリンタ、複写機などに備えるよう構成しても構わない。
【００８４】
又、本発明の実施形態では、複合機１００が各手段を備えるよう構成したが、当該各手段を実現するプログラムを記憶媒体に記憶させ、当該記憶媒体を提供するよう構成しても構わない。当該構成では、前記プログラムを複合機１００に読み出させ、その複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００８５】
以上のように、本発明に係る画像形成装置及び画像形成方法は、複合機はもちろん、複写機、プリンタ等に有用であり、見開き状態の原稿の全面頁を印刷物として出力する場合に、ユーザの希望に沿った印刷物を出力することが可能な画像形成装置及び画像形成方法として有効である。
【符号の説明】
【００８６】
１００  複合機
４０１  表示受付手段
４０２  見開き条件受付手段
４０３  見開き画像読取手段
４０４  原稿サイズ検知センサ
４０５  画像データ記憶手段
４０６  見開き画像形成手段
４０７  画像条件受付手段
【図１】
2012160829.tif 000003
【図２】
2012160829.tif 000004
【図３】
2012160829.tif 000005
【図４】
2012160829.tif 000006
【図５】
2012160829.tif 000007
【図６】
2012160829.tif 000008
【図７】
2012160829.tif 000009
【図８】
2012160829.tif 000010
【図９】
2012160829.tif 000011